(57)【要約】      （修正有）【課題】機材、材料、資材の収納機能を有し、工作作業に伴う切削片、粉塵、塗料の飛散を防止するための作業場所の提供をできるようにすること。【解決手段】蓋付き箱型容器に対して固定具２を用いることによって蓋部１の斜体を維持させ、蓋部が斜体を維持することによって生じる箱型容器と蓋との開口部に対して、箱型容器の内部と外部を隔てる為、一部または全部が透明のシート３を装着し、シートには作業のために手を挿入するための開口部４を備える。シートは箱型容器から脱着可能な結合具５を有し、取り外し可能である。上記の開口部は接合具６により開口度合いが調節可能である。また、開口度合いの調節の結果垂れ下ったシートの固定ができるように固定具７を備える。作業のための手を挿入するための開口部の他に、電気コードを通すための開口部８も備える。【選択図】図１
2010159060.tif 000002
【特許請求の範囲】
【請求項１】
一部の面が開き戸状に開閉可能な蓋部を持つ箱型容器において、作業用スペースを提供する機材として変形するために、蓋部を開けた際に蓋部が斜体を維持できるようにするための固定具を有し、蓋部が斜体を維持することによって生じる箱型容器と蓋との開口部に対して、箱型容器の内部と外部を隔てる為のシートが装着され、該シートは装着の際に箱内部が見られるよう一部または全部が透明であり、該シートには作業のために手を挿入するための開口部を有することを特徴とする装置。
【請求項２】
脱着可能な結合具を備えることにより、請求項１記載の該箱型容器から該シートの取り外しを可能とさせることを特徴とする請求項１記載の該シートと該箱型容器。
【請求項３】
請求項１記載の該シートの作業のために手を挿入するための開口部に接合具を装着することにより、開口部の開閉度合いの調整を可能とさせることを特徴とする請求項１記載の該シートの作業のために手を挿入するための開口部及び開口部の開港度合いを固定するための該シートに装着された固定具。
【請求項４】
請求項１記載の該シートの作業のために手を挿入するための開口部に加えて電気コードを通すための開口部を備えたことを特徴とする請求項１記載の該シート。
【発明の詳細な説明】
【技術分野】
【０００１】
本発明は、工作、手工芸、企業の研究・開発機関における試作品の作成において、機材、材料、資材の収納及び工作作業スペースの提供を行う技術に関する。
【背景技術】
【０００２】
従来、工作作業を行うに当たって、機材、材料、資材の収納は箱等の容器に格納するか、棚にそのまま置くことが多い。また、工作作業が恒常的に行われない場においては、通常他の目的で設置された机や床などで行われることが多い。
【発明の開示】
【発明が解決しようとする課題】
【０００３】
しかし、机や床などで工作作業を行う場合では、工作作業を行う際に機材、材料、資材を収納場所から容器ごと、もしくは機材、材料、資材そのものを作業場所に持ち出す必要があった。また、工作作業は切削、研磨、塗装作業を伴うことが多いため、切削片、粉塵、塗料の飛散が発生することが多い。
【０００４】
このため、工作作業後に飛散した切削片、粉塵、塗料を清掃することに非常に労力を要することになり、飛散した切削片、粉塵、塗料が残っていた場合、工作作業後の他の活動にも支障をきたすことになる。
【０００５】
そこで本発明は機材、材料、資材の収納機能を有し、工作作業に伴う切削片、粉塵、塗料の飛散を防止するための作業場所の提供をできるようにすることを課題とする。
【課題を解決するための手段】
【０００６】
上記課題を解決するために、本発明の収納兼作業用ボックスは請求項１記載の一部の面が開き戸状に開閉可能な蓋部を持つ箱型容器において、作業用スペースを提供する機材として変形するために、蓋部を開けた際に蓋部が斜体を維持できるようにするための固定具を有する。蓋部が斜体を維持することによって生じる箱型容器と蓋との開口部に対して、箱型容器の内部と外部を隔てる為のシートが装着され、該シートは装着の際に箱内部が見られるよう一部または全部が透明であり、該シートには作業のために手を挿入するための開口部を有する。これにより、本発明の収納兼作業用ボックスは箱内部への可視性が担保され、また工作作業のための手を挿入することが可能となり、作業スペースを提供する装置へと変ずる。
【０００７】
上記の収納兼作業用ボックスにおいては、請求項２のように、脱着可能な結合具を備えることにより、シートの取り外しが可能となる。
【０００８】
上記の収納兼作業用ボックスのシートにおいては、請求項３のように、作業のために手を挿入するための開口部の開閉度合いの調整を可能とさせる接合具を装着する。また、開閉度合いの調整の結果生じた開口部を固定するための結合具が装着される。
【０００９】
上記の収納兼作業用ボックスのシートにおいては、請求項４のように、該シートの作業のために手を挿入するための開口部に加えて電気コードを通すための開口部を備える。
【発明の効果】
【００１０】
本発明は次のような効果を奏する。請求項１に記載されている発明は箱型容器なので収納機能を有することができる。また、収納物を取り出した後は蓋部が斜体を維持することによって開口部が生じ、その固定された開口部によりその箱型容器は作業スペースを提供する装置へと変ずることができる。そして、その作業場所は上面が開いた箱型の形態であるので、箱の側面により切削片、粉塵、塗料の作業スペース外部への飛散を防止することができる。さらに、箱型容器の内部と外部を隔てる為のシートは一部または全部が透明で作業のために手を挿入するための開口部があるため、作業場所としての機能を維持しながら切削片、粉塵、塗料の作業スペース外部への飛散をより防止することができる。
【００１１】
請求項２に記載されている発明は前記のシートの作業スペースからの取り外しができることによって本装置の不使用時の収納性の向上と清掃時の簡便さの向上が見込まれる。
【００１２】
請求項３に記載されている発明は前記のシートの作業のために手を挿入するための開口部を調節ができることによって、飛散が予想される切削片、粉塵、塗料の程度と作業の難易度に応じて開口部の広さを決定することができる。また、開口部を広くした場合に垂れ下がるシートを固定することによって垂れ下ったシートが作業の邪魔とならないようにすることができる。
【００１３】
請求項４に記載されている発明は手を挿入するための開口部以外に開口部を設けることにより、電気コードなど外部電源を要する機材を使用する際にコードを通すことができる。
【発明を実施するための最良の形態】
【００１４】
以下、本発明の一実施形態を図面に基づいて説明する。
1231295358000_0
は収納兼作業用ボックスの斜視図を示し、工作作業のための作業スペースの提供のために使用される。この収納兼作業用ボックスは、蓋部１が固定具２により車体が維持され、透明なシート３が装着されている。透明なシート３には、作業のための手を挿入するための開口部４が備えられている。
【００１５】
図２は透明なシート３を収納兼作業用ボックスから取り外した図である。脱着可能な結合具５を有することにより、図２のように箱から透明なシート３を取り外すことができる。
【００１６】
開口部４は、接合具６を有し、これにより開口部４の大きさの調整が可能となる。また、開口部４の大きさの調整の結果、垂れ下ったシートが作業の邪魔にならないように固定具７が備えられている。
【００１７】
作業のための手を通すための開口部４の他に電気コードを通すための開口部８が備えられている。
【図面の簡単な説明】
【００１８】
【図１】収納兼作業用ボックスの斜視図である。
【図２】透明なシート３を収納兼作業用ボックスから取り外した図である。
【図３】収納兼作業用ボックスを電気器具を使用した際の実施状況を示す図である。
【図４】収納兼作業用ボックスを固定具７を使用した際の実施状況を示す図である。
【符号の説明】
【００１９】
１  箱型容器の蓋部
２  箱型容器の蓋部の斜体を維持するための固定具
３  箱型容器に装着される透明シート
４  透明シートの作業のための手を挿入するための開口部
５  箱型容器と透明シートを脱着可能とするための結合具
６  作業のための手を挿入するための開口部の調整のための接合具
７  開口部の調整の結果垂れ下ったシートを固定するための固定具
８  電気コードを通すための開口部
【図１】
2010159060.tif 000003
【図２】
2010159060.tif 000004
【図３】
2010159060.tif 000005
【図４】
2010159060.tif 000006